(57)【要約】【課題】隣り合う内外支柱間に簡単に取り付けできる妻側安全手摺りを提供する。【解決手段】水平材５と、水平材５の両端部に夫々の一端部が枢着された一対の斜材６，７とからなり、水平材５と斜材６，７との各枢着端部には斜材側端部に、支柱２のフランジ３に係止可能な係止部材８を設け、各斜材６，７の他端部には支柱２のフランジ３に固定可能な固定金具９を備え、固定金具９は、側面視略コ字状に形成されてその先端側に楔孔１０ａ，１０ｂを有し、基端部が斜材６，７の他端部に取り付けられた固定シュー１０と、固定シュー１０の楔孔１０ａ，１０ｂとフランジ３の楔孔３ａとに挿着される楔１１とからなり、固定シュー１０には、足場板４の板状係止フック１４を係止するためのフック係止用軸部１２を、楔孔１０ａ，１０ｂに挿着された楔１１と固定シュー１０の斜材取付側端部との間に形成している。【選択図】図１
2010203137.tif 000002
【特許請求の範囲】
【請求項１】
楔緊結式の足場を仮設するにあたり、支柱の楔孔付きフランジを利用して、足場の端部において足場板幅方向に隣り合う支柱間に取り付ける妻側安全手摺りであって、水平材と、水平材の両端部に夫々の一端部が枢着されて、互いに交差する一対の斜材とからなり、水平材と斜材との各枢着端部には水平材側端部又は斜材側端部に、支柱のフランジに係止可能な係止部材を設け、各斜材の他端部に支柱のフランジに固定可能な固定金具を備え、前記固定金具は、前記フランジに跨嵌されるように形成されてその先端側に楔孔を有し、基端部が斜材の他端部に取り付けられた固定シューと、固定シューの楔孔とフランジの楔孔とに亙って挿着される楔とからなり、前記固定シューには、足場板の妻側端部に突設された板状の係止フックを係止するためのフック係止用軸部を、楔孔に挿着された楔と固定シューの斜材取付側端部との間に一定の軸方向長さを有するように形成してなる妻側安全手摺り。
【請求項２】
前記係止部材の先端部はフランジの楔孔に対して上方より挿脱可能な挿入片を形成し、この挿入片には、水平材に下向きの荷重が負荷された時に水平材が撓んで係止部材が水平方向に変移することによりフランジの楔孔の周縁に係止して楔孔からの挿入片の抜け出しを阻止する係止段部を設けてなる請求項１に記載の妻側安全手摺り。
【発明の詳細な説明】
【技術分野】
【０００１】
本発明は、建築現場等で仮設される足場の端部において足場板の幅方向に隣り合う支柱間に取り付ける妻側安全手摺りに関するもので、特に本発明は、楔緊結式支柱の楔孔付きフランジを利用し、足場端部で隣り合う支柱間に取り付ける妻側安全手摺りに関する。
【背景技術】
【０００２】
仮設足場の端部において足場板幅方向に隣り合う支柱間に取り付ける従来の妻側安全手摺りとして、特許公報等の公知文献を具体的に挙げることはできないが、従来の妻側安全手摺りは、矩形枠状の手摺り本体の左右縦枠の夫々上部及び下部にクランプを設けたもので、取り付けにあたって、各クランプを支柱に固定するようにしている。しかしながら、このような妻側安全手摺りでは、クランプの取付操作が面倒で、手摺りの取付作業に非常に手間がかかっていた。
【発明の概要】
【発明が解決しようとする課題】
【０００３】
本発明は、支柱の楔孔付きフランジを利用して、足場端部の足場板幅方向に隣り合う支柱間に簡単に取り付けることができる妻側安全手摺りを提供することを目的とする。更に本発明の目的は、手摺り自体に足場板の係止フックを係止できるようにすることにより、足場端部において足場板の妻側端部で足場板幅方向に隣り合う支柱間に取り付けられる横ステーの取付けを省略できるようにした妻側安全手摺りを提供することにある。
【課題を解決するための手段】
【０００４】
上記課題を解決するための手段を、後述する実施形態の参照符号を付して説明すると、請求項１に係る発明は、楔緊結式の足場を仮設するにあたり、支柱２の楔孔３ａ付きフランジ３を利用して、足場の端部において足場板幅方向に隣り合う支柱２，２間に取り付ける妻側安全手摺りであって、水平材５と、水平材５の両端部に夫々の一端部が枢着されて、互いに交差する一対の斜材６，７とからなり、水平材５と斜材６，７との各枢着端部には水平材側端部又は斜材側端部に、支柱２のフランジ３に係止可能な係止部材８を設け、各斜材６，７の他端部に支柱２のフランジ３に固定可能な固定金具９を備え、前記固定金具９は、前記フランジ３に跨嵌されるように形成されてその先端側に楔孔１０ａ，１０ｂを有し、基端部が斜材６，７の他端部に取り付けられた固定シュー１０と、固定シュー１０の楔孔１０ａ，１０ｂとフランジ３の楔孔３ａとに亙って挿着される楔１１とからなり、前記固定シュー１０には、足場板４の妻側端部に突設された板状の係止フック１４を係止するためのフック係止用軸部１２を、楔孔１０ａ，１０ｂに挿着された楔１１と固定シュー１０の斜材取付側端部との間に一定の軸方向長さＬを有するように形成してなることを特徴とする。尚、一定の軸方向長さＬとは、板状係止フック１４を当該軸部１２に係止させる際に容易に係止させることができると共に、フック１４の係止状態を確実に維持できるのに必要な長さであって、板状係止フック１４の幅の１．５〜２倍程度の長さである。
【０００５】
請求項２は、請求項１に記載の妻側安全手摺りにおいて、前記係止部材８の先端部はフランジ３の楔孔３ａに対して上方より挿脱可能な挿入片１６を形成し、この挿入片１６には、水平材５に下向きの荷重が負荷された時に水平材５が撓んで係止部材８が水平方向に変移することによりフランジ３の楔孔３ａの周縁に係止して楔孔３ａからの挿入片１６の抜け出しを阻止する係止段部１７を設けてなることを特徴とする。
【発明の効果】
【０００６】
上記解決手段による発明の効果を、後述する実施形態の参照符号を付して説明すると、請求項１に係る発明の妻側安全手摺り１は、水平材５と、水平材５の両端部に夫々の一端部が枢着された一対の斜材６，７とからなり、水平材５と斜材６，７との各枢着端部には水平材５側端部又は斜材側端部に係止部材８を設け、各斜材６，７の他端部には固定金具９を備え、固定金具９は側面視略コ字状に形成されてその先端側に楔孔１０ａ，１０ｂを有し、基端部が斜材６，７の他端部に取り付けられた固定シュー１０と、固定シュー１０の楔孔１０ａ，１０ｂとフランジ３の楔孔３ａとに挿着される楔１１とからなるもので、使用にあたり、作業者が一方の斜材６を立ち上げ、この斜材６の上端部側にある係止部材８を内外何れか一方側の支柱２の所要のフランジ３の楔孔３ａに挿入した後、他方の斜材７を立ち上げて、その斜材７の上端部にある係止部材８の挿入片１６を反対側の支柱２の所要のフランジ３の楔孔３ａに挿入し、その後に両斜材６，７の下端部にある固定金具９，９を足場板４の仮設高さ位置に対応する内外支柱２，２のフランジ３，３に固定すればよいから、足場端部の足場板幅方向に隣り合う内外支柱２，２間に簡単容易に取り付けることができる。また、この妻側安全手摺り１は、非使用時には直線状に折り畳むことができるから、嵩張らず、搬送や保管に便利である。
【０００７】
そして特に、この妻側安全手摺り１においては、両固定金具９，９の固定シュー１０，１０に夫々形成したフック係止用軸部１２，１２に、足場板４の一端側の係止フック１４，１４を係止させるようにしているから、従来の楔緊結式足場であれば、この足場板４の係止フック１４，１４を係止する横ステーが内外支柱２，２のフランジ３，３間に取り付けられるが、その横ステーを両固定シュー１０，１０のフック係止用軸部１２，１２が代用することになるため、その横ステーを省略でき、従ってその分だけ足場仮設作業の手間を省くことができる。
【０００８】
請求項２に係る発明によれば、係止部材８の先端部はフランジ３の楔孔３ａに対して上方より挿脱可能な挿入片１６を形成し、この挿入片１６には、水平材５に下向きの荷重が負荷された時に水平材５が撓んで係止部材８が水平方向に変移することによりフランジ３の楔孔３ａの周縁に係止して楔孔３ａからの挿入片１６の抜け出しを阻止する係止段部１７を設けているため、作業者が、自身に取り付けた安全帯を安全手摺り１の水平材５につないで作業を行っている時に足を滑らせるなどして足場板から墜落状態となり、その安全帯を介して水平材５に図８の(b) に示すように下向きの衝撃荷重Ｐが負荷されると、水平材５が同図の仮想線図示のように撓んでその端部が水平方向Ｈに変位し、それにより挿入片９の係止段部１０が同図実線図示のようにフランジ３の楔孔３ａの周縁３ａｏに係止して、楔孔３ａからの挿入片１６の抜け出しを阻止し、それにより妻側安全手摺り１が支柱２から外れず、作業者の墜落が防止される。
【図面の簡単な説明】
【０００９】
【図１】本発明の一実施形態による妻側安全手摺りを取り付けた仮設足場の一部斜視図である。
【図２】妻側安全手摺りの使用状態を示す正面図である。
【図３】(a) 及び(b) は妻側安全手摺りの使用状態と折り畳み状態を示す夫々正面図である。
【図４】(a) は図２の矢印Ａで示す部分の拡大図、(b) はその平面図、(c) は側面図である。
【図５】妻側安全手摺りの下端部分を示す正面図である。
【図６】(a) は妻側安全手摺りの固定シューのフック係止用軸部に足場板の係止フックを係止した状態の拡大斜視図、(b) は(a) のＸ−Ｘ線断面図である。
【図７】(a) は妻側安全手摺りの係止部材を示す拡大正面図、(b) は(a) のＹ−Ｙ線断面図、(c) は(a) のＺ−Ｚ線断面図である。
【図８】(a) ，(b) は係止部材の挿入片の作用を示す説明図である。
【図９】他の実施形態による妻側安全手摺りを示す正面図である。
【発明を実施するための形態】
【００１０】
以下に本発明の好適な一実施形態を図面に基づいて説明すると、図１において、１は本発明に係る妻側安全手摺りを示しており、この妻側安全手摺り１は、楔緊結式の単管足場を仮設するにあたり、長さ方向に所定間隔で楔孔３ａ付きフランジ３を設けた支柱２のフランジ３を利用し、既設の下段側足場板４から新設される上段側足場板４の先行妻側手摺りとして、単管足場の端部で足場板４の幅方向に隣り合う支柱２，２間に取り付けるものである。
【００１１】
尚、単管足場は、建物躯体の外壁（図示せず）に近い側に鋼管からなる内側の支柱２を配置して、この内側支柱２を壁つなぎ材（図示せず）によって建物躯体の外壁に固定し、この内側支柱２に対向して外側支柱２を配置し、これらの内側と外側の支柱２，２間に横ステー（図示せず）を取り付け、建物躯体に沿う水平方向に隣り合う横ステー間に足場板を架け渡し、各内側及び外側の支柱２を順次高所に向かって連結しながら足場板４を多段状に仮設してゆくわけであるが、この妻側安全手摺り１は、この単管足場の端部における内側支柱２と外側支柱２との間に取り付けられる。
【００１２】
本発明に係る妻側安全手摺り１は、図１及び図２に示すように、水平材５と、この水平材５の両端部に夫々の一端部（上端部）がボルト・ナット１８（枢軸部）により枢着されて、互いに交差する一体の斜材６，７とからなるもので、水平材５と斜材６，７との各枢着端部には各斜材６，７側の端部に、支柱２のフランジ３の楔孔３ａに係止可能な係止部材８が設けられ、各斜材６，７の他端部（下端部）には取付部片１３を介して支柱２のフランジ３に固定可能な固定金具９が設けられている。
【００１３】
固定金具９は、図４に示すように、支柱２のフランジ３に跨嵌されるように側面視略コ字状に形成されてその先端側上下部に楔孔１０ａ，１０ｂを有し、基端部が斜材６，７の他端部（下端部）に取り付けられた固定シュー１０と、この固定シュー１０の楔孔１０ａ，１０ｂとフランジ３の楔孔３ａとに亙って挿着される楔１１とからなるもので、固定シュー１０には、足場板４の妻側端部に突設された板状の係止フック１４を係止するための断面円形状のフック係止用軸部１２が、楔孔１０ａ，１０ｂに挿着された楔１１と斜材取付側端部との間に一定の軸方向長さＬ（図４の(a) ，(b) 参照）を有するように形成されている。
【００１４】
上記フック係止用軸部１２の軸方向長さＬとは、足場板４の板状係止フック１４を当該軸部１２に係止させる際に容易に係止させることができると共に、フック１４の係止状態を確実に維持できるのに必要な長さであって、板状係止フック１４の幅（下記フック本体１４ａの板厚とロック部材１４ｂの板厚の合わせ幅）の１．５〜２倍程度の長さとする。尚、係止フック１４は、図６の(b) から分かるように、フック係止用軸部１２に対し上方から嵌脱自在に係止されるフック本体１４ａと、軸部１２に掛合してフック本体１４ａの上方への移動を阻止するロック部材（一般には落下錠と称される）１４ｂとからなり、ロック部材１４ｂは、上下２箇所の長孔ａ，ｂに夫々通されてフック本体１４ａに固定されたピンｃ，ｄにより、図６の(b) に示すようなロック位置と、図示位置から上方へスライドしたロック解除位置との間でスライド自在に取り付けられ、常時は自重によって図示のようなロック位置に保持されている。
【００１５】
上記のようなフック係止用軸部１２を形成した固定シュー１０の基端部は、平面視コ字形に形成された取付部片１３を介して各斜材６，７の他端部（下端部）に所定の角度で固着されている。
【００１６】
上記固定金具９の取付けにあたっては、図４の(a) ，(b) に示すように、固定シュー１０を支柱２のフランジ３に跨嵌して、楔１１を固定シュー１０の上部及び下部楔孔１０ａ，１０ｂとフランジ３の楔孔３ａとに挿入してハンマーで打ち込めばよい。尚、各楔１１の下端部には隆起部１１ａが形成されていて、楔１５を上方に引き出している時は、隆起部１１ａが肉厚であるから、固定シュー１０の上部楔孔１０ａから抜け出ないようにし、これによって楔１１の紛失う防ぐことができる。この場合、下部楔孔１０ｂは上部楔孔１０ａよりも幅広に形成され（図４の(b) 参照）、隆起部１５ａに支障を受けることなく、下部楔孔１０ｂを通過して下方まで打ち込むことができるようになっている。
【００１７】
係止部材８は、図７の(a) 〜(c) に示すように、斜材６の一端部に溶接によって固定された板状本体１５と、この板状本体１５の先端側に溶接によって下向きに一体に突出するように取り付けられた軸状体からなる挿入片１６とにより構成され、この挿入片１６は、上部側の径小軸部１６ａと下部側の径大軸部１６ｂとからなるもので、径小軸部１６ａと径大軸部１６ｂとの間に係止段部１７が形成されている。また、挿入片１６の径大軸部１６ｂは、その下部側が下窄まりテーパ状の挿入ガイド部１６ｂｏを形成している。
【００１８】
係止部材８の挿入片１６を板状本体１５に取り付けるには、図７の(b) ，(c) に一例を示すように、板状本体１５の先端側に挿入片１６の径小軸部１６ａを嵌め込み可能な開口溝１５ｏを形成して、これに径小軸部１６ａの上部側を嵌め込み、この嵌め込んだ径小軸部１６ａを板状本体１５の開口溝１５ｏ部分に溶接して固着すればよい。
【００１９】
上述のように構成される妻側安全手摺り１の使用について説明すると、この妻側安全手摺り１は、既設の下段側足場板４から新設される上段側足場板４の先行妻側手摺りとして単管足場の端部で足場板４の幅方向に隣り合う支柱２，２間に取り付けるものであって、単管足場の端部において、先ず、１段目の足場板４の仮設高さ位置に対応する内側支柱２及び外側支柱２のフランジ３，３に両斜材６，７の下端部の固定金具９，９を固定できるように、水平材５の両端部側にある係止部材８，８を内外支柱２，２の所要のフランジ３，３に夫々係止部材８，８を係止し、その後に両斜材６，７を交差させた状態で、両斜材６，７の下端部にある固定金具９，９を、上記１段目足場板４の仮設高さ位置に対応する内外支柱２，２のフランジ３，３に固定し、そして両固定金具９，９の固定シュー１０，１０のフック係止用軸部１２，１２に、１段目足場板４の一端側の係止フック１４，１４を係止して、図１に示されるような状態とする。この場合、上記１段目足場板４の他端側の係止フック１４，１４は、他の内外支柱２，２のフランジ３，３間に取り付けられる横ステー（図示せず）に係止される。
【００２０】
係止部材８の取付けにおいては、作業者が一方の斜材６を垂直に立ち上げて、この斜材６の上端部側にある係止部材８の挿入片１６を、内外何れか一方側の支柱２の所要のフランジ３の楔孔３ａに上方より挿入した後、他方の斜材７を同様に立ち上げて、水平材５を水平姿勢に保持した状態で、この斜材７の上端部にある係止部材８の挿入片１６を反対側の支柱２の所要のフランジ３の楔孔３ａに挿入すればよい。こうして係止部材８，８を取り付けた後、両斜材６，７を交差させた状態で、両斜材６，７の下端部にある固定金具９，９を内外支柱２，２の夫々所要のフランジ４，４に前述した方法で固定させる。
【００２１】
上記のようにして１段目足場板４を仮設した後、単管足場の端部で２段目の足場板４を仮設する時は、既に仮設した１段目足場板４上で作業者が、上記同様に一方の斜材６を立ち上げ、この斜材６の上端部側にある係止部材８の挿入片１６を、内外何れか一方側の支柱２の所要のフランジ３の楔孔３ａに挿入した後、他方の斜材７を立ち上げて、その斜材７の上端部にある係止部材８の挿入片１６を反対側の支柱２の所要のフランジ３の楔孔３ａに挿入し、その後に両斜材６，７を交差させて、両斜材６，７の下端部にある固定金具９，９を、２段目足場板４の仮設高さ位置に対応する内外支柱２，２のフランジ３，３に固定する。この２段目の妻側安全手摺り１を取り付ける時には、既に１段目の妻側安全手摺り１が取り付けてあるため、その取付作業を安全に行うことができる。そして、この２段目妻側安全手摺り１には両固定金具９，９の固定シュー１０，１０のフック係止用軸部１２，１２に２段目足場板４の一端側の係止フック１４，１４を係止する。
【００２２】
以降は、上記のような方法によって、既設の下段側足場板４から新設される上段側足場板４の先行妻側手摺りとして、単管足場の端部において足場板４の幅方向に隣り合う支柱２，２間に妻側安全手摺り１を適宜に取り付ける。尚、この妻側安全手摺り１の使用においては、足場端部の下段から最上段までの全てに取り付ける必要はなく、例えば１段置きに取り付けて、その間の段の足場端部には従来の妻側安全手摺りを取り付けるようにしてもよい。
【００２３】
以上説明したように、上記妻側安全手摺り１は、水平材５と、水平材５の両端部に夫々の一端部が枢着されて、互いに交差する一対の斜材６，７とからなり、水平材５と斜材６，７との各枢着端部には水平材５側端部に係止部材８を設け、各斜材６，７の他端部には固定金具９を備え、固定金具９は側面視略コ字状に形成されてその先端側に楔孔１０ａ，１０ｂを有し、基端部が斜材６，７の他端部に取り付けられた固定シュー１０と、固定シュー１０の楔孔１０ａ，１０ｂとフランジ３の楔孔３ａとに亙って挿着される楔１１とからなるもので、使用にあたり、作業者が一方の斜材６を立ち上げ、この斜材６の上端部側にある係止部材８の挿入片１６を内外何れか一方側の支柱２の所要のフランジ３の楔孔３ａに挿入した後、他方側の斜材７を立ち上げて、その斜材７の上端部にある係止部材８の挿入片１６を反対側の支柱２の所要のフランジ３の楔孔３ａに挿入し、その後に両斜材６，７を交差させて、両斜材６，７の下端部にある固定金具９，９を足場板４の仮設高さ位置に対応する内外支柱２，２のフランジ３，３に固定すればよいから、足場端部の足場板幅方向に隣り合う内外支柱２，２間に簡単且つ容易に取り付けることができる。
【００２４】
そして、この妻側安全手摺り１にあっては、両固定金具９，９の固定シュー１０，１０のフック係止用軸部１２，１２に、足場板４の一端側の係止フック１４，１４を係止させるようにしているから、従来の楔緊結式足場であれば、この足場板４の一端側の係止フック１４，１４を係止する横ステーが内外支柱２，２のフランジ３，３間に取り付けられることになるが、その横ステーを両固定シュー１０，１０のフック係止用軸部１２，１２が代用するため、その横ステーの取付けを省略でき、従ってその分だけ足場仮設作業の手間が省ける利点を有する。
【００２５】
また、この妻側安全手摺り１は、図３の(a) 及び(b) から分かるように、非使用時には直線状に折り畳むことができるから、嵩張らず、搬送や保管にきわめて便利である。
【００２６】
図８の(a) は、上記のようにして妻側安全手摺り１を隣り合う支柱２，２間に架設した時に係止部材８の挿入片１６がフランジ３の楔孔３ａに挿入した状態を示す。この挿入片１６は、径大軸部１６ｂの下部側が下窄まりテーパ状の挿入ガイド部１６ｂｏを形成しているため、フランジ３の楔孔３ａに上方より挿入片１６を挿入する際にその挿入が容易となる。
【００２７】
図８の(b) は上記挿入片９の作用を示したもので、作業者が、自分の身に付けた安全帯を安全手摺り１の水平材５につないで作業を行っている時に足を滑らせるなどして足場板４から墜落状態となり、その安全帯を介して水平材５に下向きの衝撃荷重Ｐが負荷されると、同図の仮想線で示すように水平材５が撓んで水平材５の端部が水平方向Ｈに変位し、それにより挿入片９の係止段部１０が同図実線図示のようにフランジ３の楔孔３ａの周縁３ａｏに係止して、楔孔３ａからの挿入片１６の抜け出しを阻止し、それにより妻側安全手摺り１が支柱２から外れなくなって、作業者の墜落が防止されることになる。
【００２８】
図１〜図８に示す妻側安全手摺り１は、水平材５と斜材６，７との各枢着端部の斜材６，７側端部に係止部材８が設けられているが、図９に示す妻側安全手摺り２１は、水平材５と斜材６，７との各枢着端部の水平材５側端部に係止部材８が設けられている。即ち、図９の妻側安全手摺り２１では、水平材５の両端部に取付片１９，１９が取り付けられ、これらの取付片１９，１９に斜材６，７の一端部が夫々ボルト・ナット１８（枢軸）で枢着され、水平材５の各端部に係止部材８が一体に設けられ、この係止部材８の先端部はフランジ３の楔孔３ａに対し上方より挿脱自在な挿入片１６を形成し、この挿入片１６には、水平材５に下向きの荷重が負荷された時に水平材５が撓んで係止部材８が水平方向に変位することにより、フランジ３の楔孔３ａの周縁３ａｏに係止して孔４ａからの挿入片１６の抜け出しを阻止する係止段部１７が設けられ、各斜材６，７の他端部にはフランジ４に固定可能な固定金具９が設けてある。固定金具９は、図４の(a) ，(b) に示す構造と同じである。
【００２９】
尚、図１において、２２，２３は足場板長さ方向に対向する支柱２，２間に掛け渡された手摺り部材で、各手摺り部材２２，２３の両端部には夫々固定金具２０が設けてあり、各固定金具２０は、前記妻側安全手摺り１の固定金具９と同じ様に、支柱２のフランジ３に跨嵌されるように側面視略コ字状に形成されてその先端側に楔孔（図示せず）を有し、基端部が手摺り部材２２，２３に取り付けられた固定シュー２４と、この固定シュー２４の楔孔とフランジ３の楔孔３ａとに亙って挿着される楔２５とからなるもので、各手摺り部材２２，２３の端部は、この固定金具２０によって支柱２のフランジ３に取付け固定されるようになっている。
【符号の説明】
【００３０】
１，２１      妻側安全手摺り
２            支柱
３            フランジ
３ａ          フランジの楔孔
４            足場板
５            水平材
６            斜材
８            係止部材
９            固定金具
１０          固定シュー
１０ａ        楔孔
１０ｂ        楔孔
１２          フック係止用軸部
１４          足場板の係止フック
１６          挿入片
【図１】
2010203137.tif 000003
【図２】
2010203137.tif 000004
【図３】
2010203137.tif 000005
【図４】
2010203137.tif 000006
【図５】
2010203137.tif 000007
【図６】
2010203137.tif 000008
【図７】
2010203137.tif 000009
【図８】
2010203137.tif 000010
【図９】
2010203137.tif 000011